(57)【要約】      （修正有） 【課題】枕の中に、ゴム状の棒を入れることにより、枕の高さ及び形状を自由に変えることが出来る枕を提供する。【解決手段】外装部１０の中に、枠体１２と、その周りにクッション部１１を設け、枠体１２が略直方体で、側面には網目状に、他側面まで達する横長方向の複数穴１３を設け、その穴には、ゴムの丸棒１４を、枕の横から挿入できるように構成する。また、クッション部は、蕎殻などで弾力性をもたせ、枠体１２の側面の網目状の穴１３の、複数にゴム状の棒を入れる事により、高さの調整と枕の形状の調整を可能とする。【選択図】図１
0003171174.tif 000002
【実用新案登録請求の範囲】
【請求項１】
外装部１０の中に、枠体１２とクッション部１１を設け、枠体１２は略直方体で、内部に網目状に、ゴムの丸棒１４を、枕の長手方向である横から挿入でき、他側面まで達する筒状の横長方向の複数の穴１３を設け、クッション部は、枠体の周りに配置して弾力性をもたらすもので、枠体１２の内部の網目状の穴１３に複数のゴム状の丸棒１４を入れる事により、高さの調整と枕の形状の調整を可能としたことを特徴とする高さと形状が調整できる枕。
【請求項２】
外装部１０の中に、枠体１２とクッション部１１を設け、枠体１２は略直方体で、内部に網目状に、ゴムの丸棒１４を、枕の短めである縦方向から挿入でき、他側面まで達する筒状の縦方向の複数の穴１３を設け、クッション部は、枠体の周りに配置して弾力性をもたせたもので、枠体１２の内部の網目状の穴１３に複数のゴム状の丸棒１４を入れる事により、高さの調整と枕の形状の調整を可能としたことを特徴とする高さと形状が調整できる枕。
【請求項３】
外装部１０のゴムの丸棒１４を挿入する側面にファスナーを備えて、ファスナー開けて、その開けた側面からゴムの丸棒１４を挿入し、ゴムの丸棒１４を挿入する側面に対抗する他の側面もファスナーで開けられるようにし、その他の側面のファスナーを開けて挿入したゴムの丸棒１４を引き抜き易くしたことを特徴とする請求項１又は請求項２に記載の高さと形状が調整できる枕。
【考案の詳細な説明】
【技術分野】
【０００１】
本実用新案は、枕の中に、ゴム状の棒を入れるより、枕の高さ及び形状を自由に、変えることの出来る枕に関する。
【背景技術】
【０００２】
現在、スーパー、専門店、百貨店等の市場で様々な枕が陳列販売されている。素材も、そばがら、プラスチック、パイプ、ビーズ、ポリウレタンフォーム、綿などが在るが、高さ調整及び形状の変化をもたらす枕が無かった。
従来の枕では、時間の経過と共に枕が頭の重みで、枕の形状も変化していった。その度、枕を買い換える必要もあった。
【先行技術文献】
【特許文献】
【０００３】
【特許文献１】特開２００７−７４３２公報
【考案の概要】
【考案が解決しようとする課題】
【０００４】
１）枕にいれた、そばがら、プラスチック、パイプなどのチップでは、高さ調整ができない。
２）自分の好みに合わせて、枕の高さ調整及び形状調整ができない。
３）また、使用している間に、枕の高さが頭の重みで、低くなっていった。
【課題を解決するための手段】
【０００５】
外装部１０の中に、枠体１２とクッション部１１を設け、枠体１２が略直方体で、内部に網目状に、ゴムの丸棒１４を、枕の長手方向である横から挿入でき、他側面まで達する筒状の横長方向の複数の穴１３を設け、クッション部は、枠体に周りに配置して弾力性をもたらすもので、枠体１２の内部の網目状の穴１３に複数のゴム状の丸棒１４を入れる事により、高さの調整と枕の形状の調整を可能としたことを特徴とする高さと形状が調整できる枕。
【０００６】
外装部１０の中に、枠体１２とクッション部１１を設け、枠体１２が略直方体で、内部に網目状に、ゴムの丸棒１４を、枕の短めである縦方向から挿入でき、他側面まで達する筒状の縦方向の複数の穴１３を設け、クッション部は、枠体に周りに配置して弾力性をもたせたもので、枠体１２の内部の網目状の穴１３に複数のゴム状の丸棒１４を入れる事により、高さの調整と枕の形状の調整を可能としたことを特徴とする高さと形状が調整できる枕。
【０００７】
外装部１０のゴムの丸棒１４を挿入する側面にファスナーを備えて、ファスナー開けて、その開けた側面からゴムの丸棒１４を挿入し、ゴムの丸棒１４を挿入する側面に対抗する他の側面もファスナーで開けられるようにし、その他の側面のファスナーを開けて挿入したゴムの丸棒１４を引き抜き易くしたことを特徴とする高さと形状が調整できる枕。
【考案の効果】
【０００８】
スーパーなどでは、枕が自分に合うのか、試す事も出来ないし、自宅に帰ってから、試してから、合わないと言って、返品する訳にはいかない。この枕は、自分で高さ調整や形状調整することで自分に合う枕を構成できる。
【図面の簡単な説明】
【０００９】
【図１】本考案の高さと形状が調整できる枕の構成（実施例１：横型の穴方式）（ａ）外装部の側面を開いた状態、（ｂ）外装部の側面を閉じた状態
【図２】本考案の高さと形状が調整できる枕の使用例（実施例１：横型の穴方式）：上部付近の穴に丸棒をいれた場合  （ａ）頭をのせる前  （ｂ）頭を乗せた後
【図３】本考案の高さと形状が調整できる枕の使用例（実施例１：横型の穴方式）：中央部付近に穴に丸棒をいれない場合  （ａ）頭をのせる前  （ｂ）頭をのせた後
【図４】本考案の高さと形状が調整できる枕の構成（実施例２：縦型の穴方式）：中央付近の穴に丸棒をいれない場合  （ａ）構成    （ｂ）外装部の側面を閉じた状態  （ｃ）頭をのせた状態
【考案を実施するための形態】
【００１０】
図１は本考案の高さと形状が調整できる枕の構成（実施例１：横型の穴方式）で、（ａ）は、外装部の側面を開いた状態、（ｂ）は外装部の側面を閉じた状態を示す。
本考案の枕は、図１に示すように、外装部１０の中に、枠体１２と、その周りに埋め込んだクッション部１１からなる。
枠体１２は略直方体で、内部には網目状に筒状の長尺状の穴１３を枕の横方向（枕の長手方向：横型の穴方式と称す）に設け、任意の穴にゴムの丸棒１４を、枕の横から挿入できるように構成している。網目状に複数の長尺状の穴１３を設けた枠体１２は、穴ごとにゴムの丸棒を挿入するように筒状になっており、樹脂や、布で製作する。
クッション部は、そばがら、プラスチック、パルプチップなどで弾力性を持っている。
また、ゴムの丸棒が整列して並べたり、不規則に並べてもよい。ゴムの丸棒の並べ方を変えることにより、自分に合う心地よい枕を作り上げる事が出来る。
【００１１】
外装部１０は、側面にファスナー１５を設け、枠体１２と、クッション部１１を包むようにしている。
外装部１０のゴムの丸棒１４を挿入する側面にファスナーを備えて、ファスナー開けて、その開けた側面からゴムの丸棒１４を挿入し、ゴムの丸棒１４を挿入する側面に対抗する他の側面もファスナーで開けられるようにし、その他の側面のファスナーを開けて挿入したゴムの丸棒１４を引き抜き易くしてもよい。
【００１２】
図２は、本考案の高さと形状が調整できる枕の使用例（実施例１：横型の穴方式）：全部に穴に丸棒をいれた場合で、（ａ）頭をのせる前、（ｂ）は頭をのせた後を示す。
図２の（ａ）のように、ゴム状の棒を均等に入れた場合は、（ｂ）のように頭を枕にのせても、枕が沈むことなく平坦な枕が出来る。
【００１３】
図３は、本考案の高さと形状が調整できる枕の使用例（実施例１：横型の穴方式）：上部及び中央部に丸棒をいれない状態で、（ａ）は頭をのせる前、（ｂ）は頭をのせた後を示す。
図３の（ａ）のように、上部及び中央部に丸棒をいれない場合は、頭を枕にのせると（ｂ）のように、枕が中央部で沈み、頭が枕に合うようになる。
【００１４】
図４は、本考案の高さと形状が調整できる枕の構成の第２の実施例（縦型の穴）で、（ａ）は側面を開いた内部構成、（ｂ）は側面を閉じた外観  （ｃ）は頭を枕にのせた状態を示す。
実施例２では、枠体１２は略直方体で、内部には網目状に長尺状の穴１３を枕の縦方向（枕の短めの方向：縦型の穴方式と称す）に設け、ファスナーを開けて側面を開けることで、任意の穴にゴムの丸棒１４を、枕の縦方向から挿入できるように構成している。
ゴムの丸棒１４を挿入する側面に対抗する他の側面もファスナーで開けられるようにし、その他の側面のファスナーを開けて挿入したゴムの丸棒１４を引き抜き易くしてもよい。
枠体１２の短めの方向（縦方向）の網目状の長尺状の穴１３を選んで、複数の穴にゴム状の丸棒１４を入れる事により、高さの調整及び枕の形状を変えることができる。
【産業上の利用可能性】
【００１５】
家庭用で寝心地のよい、高さと形状が調整できる枕を提供する。
【符号の説明】
【００１６】
１  枕
１０  外装部
１１  クッション部
１２  枠体
１３  穴
１４  ゴム状の丸棒
１５  ファスナー
２  側頭部
３  頭頂部  
【図１】
0003171174.tif 000003
【図２】
0003171174.tif 000004
【図３】
0003171174.tif 000005
【図４】
0003171174.tif 000006